(57)【要約】  本発明は、ハウジング２、ハウジングの前方側３からアクセス可能であるハウジング内の回転ドラム１１、およびドラム内を通って処理空気の流れを生成するためのファン配設１３を含むタンブル乾燥機１に関する。ドラムに入る前に処理空気を乾燥させるためにヒートポンプが使用され、このヒートポンプは、凝縮器１９、圧縮機１７および蒸発器１５を含む。凝縮器１９、圧縮機１７および蒸発器１５は、ヒートポンプユニット４３内の構成要素として配設されており、ここでヒートポンプユニットは、構成要素を分離させることなくタンブル乾燥機ハウジングの後方側の開口部を通してタンブル乾燥機１の残りの部分から取外し可能である。こうして、例えばタンブル乾燥機の点検が容易になる。
2020534116.tif 000002
【特許請求の範囲】
【請求項１】
ハウジング（２）、前記ハウジングの前方側（３）からアクセス可能である前記ハウジング内に配設された回転ドラム（１１）、前記ドラム内を通って処理空気の流れを生成するためのファン配設（１３）、および前記ドラムに入る前に前記処理空気を乾燥させることを目的とし、凝縮器（１９）、圧縮機（１７）および蒸発器（１５）を含むヒートポンプを含むタンブル乾燥機（１）において、前記凝縮器（１９）、前記圧縮機（１７）および前記蒸発器（１５）がヒートポンプユニット（１５、１７、１９）内の構成要素として配設されており、ここで前記ヒートポンプユニットは前記構成要素を分離させることなく前記ハウジングの後方側の開口部（３１）を通して前記タンブル乾燥機（１）の残りの部分から取外し可能であることを特徴とする、タンブル乾燥機。
【請求項２】
前記ヒートポンプユニットが完全な冷媒閉ループを含む、請求項１に記載のタンブル乾燥機。
【請求項３】
前記冷媒閉ループが、前記凝縮器（１９）、前記圧縮機（１７）、前記蒸発器（１５）および膨張弁（１６）を含む、請求項２に記載のタンブル乾燥機。
【請求項４】
前記凝縮器（１９）、前記圧縮機（１７）、前記蒸発器（１５）および前記膨張弁（１６）が共通の断熱シェル（２３）内に封入されている、請求項３に記載のタンブル乾燥機。
【請求項５】
前記シェル（２３）が、発泡ポリプロピレンＥＰＰを含む、請求項４に記載のタンブル乾燥機。
【請求項６】
前記シェルが吸気口（３８）および排気口（４０）を含む、請求項５に記載のタンブル乾燥機。
【請求項７】
前記シェルが、前記シェルから外に水を導くためのドレン管（３９）を含む、請求項５または６のいずれか１項に記載のタンブル乾燥機。
【請求項８】
前記ヒートポンプユニットが共通フレーム（２５、２６、２７）を含む、請求項１ないし７のいずれか１項に記載のタンブル乾燥機。
【請求項９】
前記凝縮器（１９）、前記圧縮機（１７）および前記蒸発器（１５）が前記共通フレーム（２５、２７、２９）に取付けられている、請求項８に記載のタンブル乾燥機。
【請求項１０】
前記凝縮器（１９）が前記圧縮機（１７）の上方に位置設定され、前記蒸発器（１５）が、前記タンブル乾燥機の前方側（３）から見た場合に前記圧縮機の前に位置設定されている、請求項９に記載のタンブル乾燥機。
【請求項１１】
前記凝縮器（１９）が前記共通フレームの頂部フレーム（２５）により支持され、前記頂部フレームが前記凝縮器の底部表面（２４）の縁部において前記凝縮器（１９）を支持し、こうして処理空気が前記底部表面をその内側部分において通過できるようになっている、請求項１０に記載のタンブル乾燥機。
【請求項１２】
前記蒸発器が前記回転ドラム（１１）の下の空間内へと延在している、請求項１０または１１のいずれか１項に記載のタンブル乾燥機。
【請求項１３】
前記ヒートポンプユニットには車輪（４１）が具備されており、こうして床上を転動できるようになっている、請求項１ないし１２のいずれか１項に記載のタンブル乾燥機。
【請求項１４】
前記開口部（３１）が、スロット（３７）を備えた内側床（３５）を有し、前記車輪（４１）は前記ヒートポンプユニットが前記タンブル乾燥機内に設置された場合にこのスロット（３７）内へと延在し得る、請求項１３に記載のタンブル乾燥機。
【発明の詳細な説明】
【技術分野】
【０００１】
本発明は、ハウジング、ハウジングの前方側からアクセス可能であるハウジング内の回転ドラム、ドラム内を通って処理空気の流れを生成するためのファン配設、およびドラムに入る前に処理空気を乾燥させることを目的とし、凝縮器、圧縮機および蒸発器を含むヒートポンプを含むタンブル乾燥機に関する。
【背景技術】
【０００２】
このようなタンブル乾燥機は、例えばヒートポンプを伴うタンブル乾燥機を記載する欧州特許出願公開第３１１８３６５−Ａ１号中に示されている。このようなタンブル乾燥機に付随する１つの問題は、タンブル乾燥機の使用中にどのようにして効率の良いメンテナンス手順を達成するかということにある。
【発明の概要】
【０００３】
したがって本開示の１つの目的は、修理およびメンテナンスを効率良く実施できるタンブル乾燥機を提供することにある。この目的は、クレーム１に定義されている通りのタンブル乾燥機を用いて達成される。より具体的には、最初に言及した種類のタンブル乾燥機において、凝縮器、圧縮機および蒸発器は、ヒートポンプユニット内の構成要素として配設されており、このヒートポンプユニットは、その構成要素を互いに分離させることなくハウジングの後方側の開口部を通してタンブル乾燥機の残りの部分から取外し可能である。ヒートポンプユニットは完全な冷媒閉ループを含んでいてよく、さらに膨張弁を含み得る。
【０００４】
このような構成では、ヒートポンプ配設全体を容易に交換することができ、メンテナンスを必要とするヒートポンプを、例えば現場でヒートポンプの充填を試みるのではなくむしろ中央工場の場所で対応することが可能である。さらに、タンブル乾燥機は、ヒートポンプユニットが交換された状態でのフル稼動へと迅速に復帰することができる。
【０００５】
凝縮器、圧縮機、蒸発器および膨張弁は、エネルギ効率の改善を提供する共通の断熱シェル内に封入されていてよい。このようなシェルは例えば発泡ポリプロピレンＥＰＰ製であり得、吸気口および排気口を含み得る。シェルはさらに、シェルから外に水を導くためのドレン管を含んでいてよい。
【０００６】
ヒートポンプユニットは共通フレームを含んでいてよく、凝縮器、圧縮機および蒸発器は、共通フレームに取付けられていてよい。
【０００７】
凝縮器は、圧縮機の上方に位置設定されてよく、蒸発器は、タンブル乾燥機の前方側から見た場合に圧縮機の前に位置設定されていてよい。これにより、タンブル乾燥機ハウジング内の利用可能な空間を効率よく使用することができる。
【０００８】
凝縮器は、共通フレームの頂部フレームにより支持され得、この頂部フレームが凝縮器の底部表面の縁部において凝縮器を支持し、こうして処理空気が前記底部表面をその内側部分において通過できるようになっている。
【０００９】
蒸発器は、タンブル乾燥機の回転ドラムの下の空間内へと延在することができる。
【００１０】
ヒートポンプユニットには車輪が具備されており、こうして床上を転動できるようになっている。これにより、修理手順中のヒートポンプユニットの移動が簡単になる。ハウジングの開口部は、スロットを備えた内側床を有していてよく、車輪はヒートポンプユニットがタンブル乾燥機内に設置された場合にこのスロット内へと延在し得る。これにより、ヒートポンプユニットは、設置された時点で確実に内側床上に安定した形で載ることになる。
【先行技術文献】
【特許文献】
【００１１】
【特許文献１】欧州特許出願公開第３１１８３６５−Ａ１号
【図面の簡単な説明】
【００１２】
【図１】タンブル乾燥機の斜視図を示す。
【図２】本開示に係るヒートポンプタンブル乾燥機を通る処理空気流を概略的に示す。
【図３】ヒートポンプユニットの斜視図を示す。
【図４】シェルが備わり、下方から見た場合のヒートポンプユニットの斜視図を示す。
【図５】ヒートポンプユニットの設置前のタンブル乾燥機の後方側を示す。
【図６】ヒートポンプユニットの設置後のタンブル乾燥機の後方側を示す。
【図７】前方から見た場合のヒートポンプシェルの斜視図を示す。
【発明を実施するための形態】
【００１３】
本開示は概して、洗濯物のエネルギ効率の良い乾燥を達成するためにヒートポンプを具備したタンブル乾燥機に関する。タンブル乾燥機１の一例が図１に例示されている。タンブル乾燥機１は、濡れた洗濯物を投入できる扉５の背後のタンブル乾燥機ドラムに対するアクセスを提供する、ヒンジ７で前方側３に取付けられた扉５またはハッチが具備された前方側３を有する。
【００１４】
ヒートポンプタンブル乾燥機において、洗濯物を乾燥させる処理空気は、タンブル乾燥機の外側エンクロージャの内部を循環することができる。図２は、概略的に断面図で、このようなタンブル乾燥機の構成要素ならびに処理空気経路２１を例示している。上述の通り、タンブル乾燥機はドラム１１を含んでおり、このドラムの中に湿った洗濯物が入れられる。ドラム１１が回転する間、比較的乾燥した処理空気の流れがその中へ補給される。この流れは、ファン１３またはブロワによって提供され、示された事例では、このファンまたはブロワはドラム１１の下の空間内に位置設定されている。
【００１５】
タンブル乾燥機は、蒸発器１５、圧縮機１７、凝縮器１９および膨張弁１６を伴うヒートポンプ配設を含む（図３参照）。冷却冷媒が、圧縮機１７によりヒートポンプ配設を通して強制され、それ自体周知の通り、蒸発器１５内でエネルギを集め、このエネルギは凝縮器１９内に放出される。
【００１６】
図２に例示されているように、高温高湿の空気が有孔であるドラム１１からファン１３によって抽出されるときに空気流２１が達成される。まずフィルタ１２およびファン１３を通過した空気流は、次に蒸発器１５を通過し、こうして空気流が冷却されて内部の水分を液体水へと凝縮させる。この水は、タンブル乾燥機の底部区分の中に収集され、管３９を通してそこから排出される（図４を参照のこと）。
【００１７】
今やさらに低温になり含水量が少なくなった空気流は、タンブル乾燥機の後方区分へと移行させられ、その後凝縮器１９を通過し、こうして空気は再び加熱される。次に、加熱された乾燥空気はドラム１１内に再び導入され、ここでこの空気は再び、中にある洗濯物から水を吸収する能力を有する。
【００１８】
本開示は、メンテナンスおよび点検が容易になったタンブル乾燥機に関する。これは、図３に例示されているように、凝縮器１９、圧縮機１７および蒸発器１５をヒートポンプユニット４３内の構成要素として提供することによって達成される。ヒートポンプユニットはこれらの構成要素を分離させることなくタンブル乾燥機のハウジングの後方側の開口部３１（図５参照）を通してタンブル乾燥機の残りの部分から取外し可能である。
【００１９】
図２にそして図３の斜視図で示されているように、このような構成の一例は、タンブル乾燥機の前方側３から見た場合にドラム１１の背後で、そして圧縮機１７の上方に凝縮器１９が位置設定されている場合に得ることができる。図３中のヒートポンプユニットの斜視図で示されているように、蒸発器１５は、圧縮機１７から水平方向に延在することができ、図２に示されているように、ハウジングの前方側３から見た場合に圧縮機１７の前方に位置設定され得る。蒸発器１５はこのとき部分的に回転ドラム１１の下の空間内に達することができ、ファン配設１３に接続してそこから処理空気流を受けとることができる。
【００２０】
図３に示されているように、圧縮機１７、蒸発器１５および凝縮器１９を取付ける枠組み２５、２７、２９が具備されていてよく、これによりユニット全体としてタンブル乾燥機内に組付けることのできるヒートポンプユニット４３が形成されることになる。したがってヒートポンプユニットは、完全な冷媒閉ループを含むことができ、膨張弁１６も同様に含むことができる。
【００２１】
凝縮器１９は、この枠組みのサポート配設２５、２７によって担持されている。サポート配設は、上に凝縮器１９が載って取付けられている頂部フレーム２５を含む。この頂部フレーム２５は、凝縮器の底部表面の外側縁部で凝縮器１９を担持するように矩形であってよいが、処理空気が加熱されるべく凝縮器を通って流れることができるようにするため、この底部表面の内側部分に大きな開口部を提供していてよい。頂部フレーム２５は、複数の脚部２７によって担持されてよく、この脚部は、示された事例においては、各々頂部フレーム２５のコーナに位置設定された４本の脚部２７である。圧縮機１７は、脚部２７の間に位置設定され得、脚部は、底部フレーム２９に取付けられ得る。凝縮器１９は、凝縮器底部表面の縁部において頂部フレーム２５によって支持され、こうして処理空気は、図２に示されているように、凝縮器底部表面の内側部分においてこの底部表面２４を通過できるようになっている。
【００２２】
この構成でのさらなる利点は、圧縮機１７が、蒸発器１５と凝縮器１９の間で処理空気の流れ２１の中に位置設定されているという点にある。このことはすなわち、そうでなければ多少の差こそあれ無駄になったと考えられる圧縮機から放散される熱が、凝縮器１９に達する前の処理空気の流れ２１を予熱するために使用されるということを意味する。同時に、圧縮機１７は処理空気流２１により冷却された状態となり、これにより、圧縮機１７の過熱を回避するために使用される他の冷却用配設は大部分が不要になる。こうして、より低コストで生産できる、よりエネルギ効率の良いタンブル乾燥機１が可能になる。
【００２３】
図３の枠組みは、例えばアルミニウムまたは鋼などの材料を用いたシートメタル部品として製造されてよいが、プラスチックまたは複合材料の枠組みも同様に考慮可能と思われる。他の枠組み構成も可能である。全体として設置または取外し可能なユニットとしてヒートポンプを提供できるようにするためには、例えばタンブル乾燥機内の内側壁から凝縮器を懸吊するのではなくむしろ、ハウジングの前方側３から見た場合に圧縮機１７のいずれかの側または両側で凝縮器１９の荷重を担う枠組みを提供することが好ましい。
【００２４】
膨張弁と共に構成要素として蒸発器１５、圧縮機１７および凝縮器１９が含まれている１ユニットとしてヒートポンプを維持することが有利であり、ここでこのユニットは、構成要素を互いに分離することなくタンブル乾燥機から取外すか、またはタンブル乾燥機内に組付けることができる。ヒートポンプ内の冷却冷媒閉ループは、好ましくは、中央の場所で充填され封止されてから、タンブル乾燥機内に組立てられる。これによって同様に、現場において既存のタンブル乾燥機内のヒートポンプを交換することがより簡単になる。例えば既存のタンブル乾燥機内のガス加熱ユニットをヒートポンプで交換することさえ可能である。
【００２５】
完全なユニットとしてヒートポンプを提供することで同様に、図４中ならびに図２の断面図中で示されているように、断熱シェル２３内にヒートポンプを全体として封入することも可能になる。このようなシェル２３は、ヒートポンプ配設全体を封入することができるものの、ファン配設と整合する開口部３８、４０（図７参照）および回転するドラムに対する接続を提供し得る。シェルは、多数の部品から組立てられていてよく、発泡ポリプロピレンＥＰＰなどの好適な断熱材料製であってよい。断熱シェルは、タンブル乾燥機のエネルギ効率をさらに一層改善する。
【００２６】
図４に例示されているように、断熱シェル２３と共にポンプユニットには、例えば現場でヒートポンプユニットを交換する場合などに床上でのヒートポンプユニットの移動を容易にする車輪４１が具備され得る。このような車輪は、断熱シェルを伴うヒートポンプユニットが上に載っている底部プレート内に位置設定され得る。
【００２７】
図５〜６は、ヒートポンプユニットの設置の前および後のタンブル乾燥機の後方側を示す。図５に例示されているように、タンブル乾燥機の後方側は、後壁（図示せず）を撤去することにより開口部３１または陥凹を露出させることができる。開口部は、ヒートポンプユニットを封入するのに充分な空間を有し、ひとたびその中に収納されたならば、後壁をタンブル乾燥機に取付けることができる。
【００２８】
図５に示されているように、ヒートポンプシェル２３内の開口部と適合する開口部が回転ドラム１１およびファン配設１３に具備される。さらに、後方開口部３１の床３５にはスロット３７が具備されてよく、これらのスロット３７内には、ヒートポンプユニットがひとたび所定の場所に置かれた時点でヒートポンプユニットのいずれかの車輪が突出でき、こうしてヒートポンプユニットは後方開口部の床３５の上にしっかりと載ることになる。
【００２９】
図６は、ヒートポンプユニットが後方開口部内に組付けられた場合の、図６と同じ斜視図を示す。これは単純に、後方開口部３１内の所定の場所にヒートポンプユニットを転動させ、ヒートポンプのいくつかの接続を、例えばネジを用いてタンブル乾燥機に取付け、タンブル乾燥機の電気システムにヒートポンプを接続することによって行なうことができる。
【００３０】
図７は、前方からすなわちタンブル乾燥機ドラム１１に接続する側から見た場合のヒートポンプシェル２３の斜視図を示す。この図面は、それぞれファン配設およびドラムに接続する開口部３８、４０、すなわち底部内の吸気口（３８）、および上部部分の排気口（４０）を示す。これらの開口部に加えて、シェルは、シェルの内外を繋ぐ電気配線ならびにシェルの外へ水を導く上述のドレン管を含むことができる。
【００３１】
本開示は、上述の実施形態に限定されず、添付のクレームの範囲内で異なる形で変更および改変可能である。
【符号の説明】
【００３２】
１    タンブル乾燥機
２    ハウジング
１１    回転ドラム
１３    ファン配設
１５    蒸発器
１６    膨張弁
１７    圧縮機
１９    凝縮器
２３    断熱シェル
２４    底部表面
２５    頂部フレーム
３８    吸気口
３９    ドレン管
４０    排気口
【図１】
2020534116.tif 000003
【図２】
2020534116.tif 000004
【図３】
2020534116.tif 000005
【図４】
2020534116.tif 000006
【図５】
2020534116.tif 000007
【図６】
2020534116.tif 000008
【図７】
2020534116.tif 000009
【国際調査報告】
2020534116.tif 000010
2020534116.tif 000011
2020534116.tif 000012